(57)【要約】【課題】昇華型プリンター装置において、複数印画面サイズの画像を印刷する際、各印画間の境界付近で目立ちやすい濃度・色のばらつきを低減することを目的とする。【解決手段】この発明は、連続紙であるロール型ペーパー１１に複数印画面に跨る画像を印刷可能なプリンター装置であって、インクシート１０とロール型ペーパー１１とを所定の印画位置に対向させて搬送する搬送機構１１０と、印画位置においてインクシート１０を用いてロール型ペーパー１１に画像をライン単位で転写するサーマルヘッド８と、サーマルヘッド８を制御する制御部１００とを備え、制御部１００は、サーマルヘッド８が複数印画面における一の印画面から次の印画面へと遷移する間、当該サーマルヘッド８の通電を、一の印画面に対応する画像の終了ラインと次の印画面に対応する画像の開始ラインとに関連づけられた、実際には印画しない仮想画像に基づいて制御する。【選択図】図１
2011005727.tif 000002
【特許請求の範囲】
【請求項１】
連続紙に複数印画面に跨る画像を印刷可能なプリンター装置であって、
インクシートと前記連続紙とを所定の印画位置に対向させて搬送する搬送機構と、
前記印画位置において、前記インクシートを用いて前記連続紙に前記画像をライン単位で転写するサーマルヘッドと、
前記サーマルヘッドを制御する制御部とを備え、
前記制御部は、前記サーマルヘッドが前記複数印画面における一の前記印画面から次の前記印画面へと遷移する間、当該サーマルヘッドの通電を、前記一の印画面に対応する前記画像の終了ラインと前記次の印画面に対応する前記画像の開始ラインとに関連づけられた、実際には印画しない仮想画像に基づいて制御する、
プリンター装置。
【請求項２】
前記制御部は、前記複数印画面ごとに同一の色成分による転写を連続して行うように前記インクシートの搬送と前記サーマルヘッドの通電とを制御する、
請求項１に記載のプリンター装置。
【請求項３】
前記色成分は、イエロー、マゼンタ、シアンを含む、
請求項２に記載のプリンター装置。
【請求項４】
前記制御部は、
前記複数印画面に跨る画像を分割し、複数の分割画像として出力する分割部と、
前記一の印画面に対応する前記分割画像の終了ラインと、前記次の印画面に対応する前記分割画像の開始ラインとに基づいて、前記仮想画像を生成する仮想画像生成部と、
前記仮想画像生成部における前記仮想画像に応じて、前記サーマルヘッドの通電を制御するサーマルヘッド制御部とを備える、
請求項１〜３のいずれかに記載のプリンター装置。
【請求項５】
前記仮想画像生成部は、前記一の印画面に対応する前記分割画像の終了ラインの階調データに応じて、前記仮想画像を生成する、
請求項４に記載のプリンター装置。
【請求項６】
前記仮想画像生成部は、前記一の印画面に対応する前記分割画像の終了ラインの階調データと、前記次の印画面に対応する前記分割画像の開始ラインの階調データとの平均値に応じて、前記仮想画像を生成する、
請求項４に記載のプリンター装置。
【請求項７】
プリンター装置の温度または湿度を検知するセンサーをさらに備え、
前記仮想画像生成部は、前記センサーの検知結果にも応じて、前記仮想画像を生成する、
請求項４〜６のいずれかに記載のプリンター装置。
【発明の詳細な説明】
【技術分野】
【０００１】
本発明はプリンター装置に関し、特にインクシート１画面分のサイズを超えるサイズを複数の印画面に分割してプリントさせる場合に、各出力されたプリント間で生じる濃度・色のばらつきを低減させるプリンター装置に関する。
【背景技術】
【０００２】
プリンター装置の一例である昇華型プリンター装置の一般的な構成を図７（ａ）に記す。サーマルヘッド８とプラテンローラー１３の間に、Ｙ（イエロー）、Ｍ（マゼンタ）、Ｃ（シアン）各色成分およびＯＰ（オーバーコート）を備えたインクシート１０と、ロール型ペーパー１１とを圧接させ、サーマルヘッド８の発熱を制御しながらインクシート１０とロール型ペーパー１１を同時に搬送することで、１ライン毎にインクをロール型ペーパー１１に転写してゆく。Ｙ、Ｍ、Ｃに分解された画像を各色成分毎に重ねて転写した後に、ＯＰ層を転写して耐候性や耐指紋性を向上させる。
【０００３】
昇華型プリンター装置に一般的に適用されるインクシート１０の構造を図７（ｂ）に記す。Ｙ、Ｍ、Ｃの各色材およびＯＰ層を塗布したパネルを繰り返し必要な画面数分配置したインクシート１０が、インクボビン１４に巻かれている。
【０００４】
近年、「フォトブック」と呼ばれる写真プリントを製本した形態で提供する商品が、市場で一定の需要を得ている。フォトブックの製作方法は各種あるが、その１つを図８に示す。
【０００５】
辺１−２−３−３’−２’−１’で囲まれた部分が１枚の写真プリントに相当する。同様に、辺３−４−５−５’−４’−３’で囲まれた１枚の写真プリント、辺５−６−７−７’−６’−５’で囲まれた１枚の写真プリントがある。辺２−２’、辺４−４’、辺６−６’を谷折りとして、それぞれを図中の実線矢印で指示する面同士で接着し、表紙に相当する辺８−０−１−１’−０’−８’を、破線矢印で指示する面同士で接着すれば、この場合は見開きで３頁のフォトブックが出来る。
【０００６】
ここで、例えば辺１−２−３−３’−２’−１’で囲まれた１枚の写真プリントを写真用の昇華型プリンター装置で出力する状況において、１枚のサイズが長尺となり、通常の写真プリントに用いられるインクシート１の１画面分のサイズを超える場合がある。
【０００７】
辺１−２−３−３’−２’−１’で囲まれた写真プリントサイズを満たす新規のインクシートを製作すれば良いが、そのための開発コスト増や、インクシートの品種が多くなることでの管理コスト増の問題が生じる。既存のインクシートを流用できれば、コスト面で非常に有利である。
【０００８】
そこで、例えば原画像サイズの半分に相当する辺１−２−２’−１’で囲まれた写真プリントサイズを用いて、辺１−２−３−３’−２’−１’で囲まれた写真プリントサイズの半分をまずプリントして、連続で２画面目（残り半分）をプリントする方法がとられる。
【０００９】
すなわち、図９に示すように元画像をＡとＢに２分割し、分割画像Ａと分割画像Ｂの境界が隙間無く接するように、ロール型ペーパーの送り量を調節して、各々をプリントする方法がある（特許文献１を参照）。
【００１０】
この時、従来の技術であれば、図７（ｂ）における１画面目に対応するＹ１→Ｍ１→Ｃ１の順で印画してからロール型ペーパーを送り出し、カットはせずに２画面目に対応するＹ２→Ｍ２→Ｃ２の順で印画する。１画面目と２画面目を印画し終わると、ロール型ペーパーを送り出しカットする。
【先行技術文献】
【特許文献】
【００１１】
【特許文献１】特開２００２−１８７３００号公報
【発明の概要】
【発明が解決しようとする課題】
【００１２】
しかし一般に昇華型プリンター装置のサーマルヘッドの熱制御が完全ではないため、ページ間の濃度・色のばらつき、およびページ内の濃度・色のばらつきが存在する。
【００１３】
このうちページ内の濃度・色のばらつきについては、ライン単位で転写されていくので転写開始ラインと終了ラインで差異が大きくなりやすいことが知られている。
【００１４】
さらに、一般にプリント時のロール型ペーパー送り方向は、一方向（押し打ちか引き打ちのどちらか）に固定されているため、前記したような連続プリントを実施する場合、必ず片方の画面の印画終わりの次ラインが、もう片方の画面の印画始まりに相当している。
【００１５】
これらの結果、従来の技術で２画面を隣接して配置し連続で印画した場合、図９に示すように見開きの左右の境界部ではページ間のばらつきの影響とページ内のばらつきの影響とが重畳して現れるので、この部位に連続的な画像データを配置した場合左右差が目立ちやすい問題があった。図９（ｃ）は、中央の折り目部分を境界に、濃度・色が不連続に変化していることを特徴的に示す図である。
【００１６】
特許文献１によれば、複数の画面を連続的に配置して長尺な１画面を形成する方法が示されているが、上記したような各画面間（ページ間）で生じる濃度・色のばらつきについては考慮がなされていない。
【００１７】
ゆえに本発明が解決しようとする課題は、プリンター装置の複数画面を連続して印刷した際に、各画面間で生じる濃度・色のばらつきを効果的に低減するプリンター装置を提供することである。
【課題を解決するための手段】
【００１８】
この発明は、連続紙に複数印画面に跨る画像を印刷可能なプリンター装置であって、インクシートと前記連続紙とを所定の印画位置に対向させて搬送する搬送機構と、前記印画位置において、前記インクシートを用いて前記連続紙に前記画像をライン単位で転写するサーマルヘッドと、前記サーマルヘッドを制御する制御部とを備え、前記制御部は、前記サーマルヘッドが前記複数印画面における一の前記印画面から次の前記印画面へと遷移する間、当該サーマルヘッドの通電を、前記一の印画面に対応する前記画像の終了ラインと前記次の印画面に対応する前記画像の開始ラインとに関連づけられた、実際には印画しない仮想画像に基づいて制御する。
【発明の効果】
【００１９】
この発明によれば、連続紙に複数印画面に跨る画像を印刷可能なプリンター装置であって、インクシートと前記連続紙とを所定の印画位置に対向させて搬送する搬送機構と、前記印画位置において、前記インクシートを用いて前記連続紙に前記画像をライン単位で転写するサーマルヘッドと、前記サーマルヘッドを制御する制御部とを備え、前記制御部は、前記サーマルヘッドが前記複数印画面における一の前記印画面から次の前記印画面へと遷移する間、当該サーマルヘッドの通電を、前記一の印画面に対応する前記画像の終了ラインと前記次の印画面に対応する前記画像の開始ラインとに関連づけられた、実際には印画しない仮想画像に基づいて制御することにより、複数印画面の境界付近での濃度・色のばらつきを低減することが可能となる。
【図面の簡単な説明】
【００２０】
【図１】本発明の実施の形態１による昇華型プリンター装置の構成を説明する図である。
【図２】本発明の実施の形態１による昇華型プリンター装置のプリントを説明するフロー図である。
【図３】本発明の実施の形態１による昇華型プリンター装置のプリントを説明するフロー図である。
【図４】本発明の実施の形態１による昇華型プリンター装置のプリント状態を説明する図である。
【図５】本発明の実施の形態１による昇華型プリンター装置のプリント状態を説明する図である。
【図６】本発明の実施の形態１による昇華型プリンター装置のプリント状態を説明する図である。
【図７】従来の昇華型プリンター装置の構成を示す図である。
【図８】フォトブックの構造を示す図である。
【図９】従来の技術による長尺プリントを説明する図である。
【発明を実施するための形態】
【００２１】
＜Ａ．実施の形態１＞
＜Ａ−１．構成＞
図１は、この発明の実施の形態１に係る連続紙であるロール型ペーパー１１（図７（ａ）参照）に複数印画面に跨る画像を印刷可能な昇華型プリンター装置の印画制御に係る構成を説明する図である。なお、搬送機構１１０に係る構成は、図７（ａ）と同様である。
【００２２】
図１に示すように、ホストＰＣ１から画像が制御部１００に入力されると、制御部１００における分割部２に入力され、入力された複数印画面に跨る画像を分割し分割画像Ａと分割画像Ｂとを生成する。このとき分割画像Ａ、Ｂそれぞれは、フレームメモリ２ａ（Ａｙ、Ａｍ、Ａｃ、Ａｏｐ）、フレームメモリ２ｂ（Ｂｙ、Ｂｍ、Ｂｃ、Ｂｏｐ）に格納される。
【００２３】
仮想画像生成部３では、前述の分割画像Ａと分割画像Ｂとに基づいて、仮想画像Ｉを生成する。仮想画像生成部３は、仮想画像Ｉを生成する仮想画像Ｉ生成回路３ａと、仮想画像Ｉ生成回路３ａの出力を格納するフレームメモリ２ｃ（Ｉｙ、Ｉｍ、Ｉｃ、Ｉｏｐ）とを備える。分割画像Ａ、分割画像Ｂ、仮想画像Ｉのそれぞれのフレームメモリ２ａ、２ｂ、２ｃの画像データに基づき、サーマルヘッド８に対する制御信号が各種画像処理回路６において生成される。
【００２４】
サーマルヘッドコントローラー７では、各種画像処理回路６における制御信号に基づいて、印画位置においてインクシート１０を用いてロール型ペーパー１１に画像をライン単位で転写するサーマルヘッド８の通電制御をし、またそれに伴って制御部１００はインクシート１０と連続紙であるロール型ペーパー１１とを所定の印画位置に対向させて搬送するよう搬送機構１１０を制御する。
【００２５】
ここで、仮想画像Ｉの生成はプリンター装置の温度または湿度を検知するセンサーである各種センサー９（ヘッド温度センサー、プラテン温度センサー、セット内温度センサー、セット内湿度センサー）からの情報を制御部１００のＣＰＵ５を介して取り入れ、適宜仮想画像生成のための補正を加えることが可能である。
【００２６】
＜Ａ−２．動作＞
図２、図３は、この発明の実施の形態１に係る昇華型プリンター装置の動作を説明するフロー図である。図４〜６は、この発明の実施の形態１に係る昇華型プリンター装置のプリント状態を説明する図である。図２、図３を用いて、以下動作手順について説明する。
【００２７】
図４（ａ）に示すような画像データを、ホストＰＣ１から制御部１００に入力する（図２ステップＳ１）。ここで当該画像データは、例えばプリンター装置のインクシート２画面分のサイズのものである。
【００２８】
制御部１００の分割部２において、ホストＰＣ１から入力された画像データに基づいて、それぞれサイズがインクシート１画面分である分割画像Ａ、分割画像Ｂを生成する（図２ステップＳ２）。分割画像Ａと分割画像Ｂはそれぞれ別のフレームメモリ２ａ、２ｂに格納され、印刷は分割画像Ｂ→分割画像Ａの順序で行われる。
【００２９】
次に制御部１００の仮想画像生成部３において、図４（ｂ）に示すような、上記２画面のうちの一の印画面に対応する画像である分割画像Ｂの終了ラインと、次の印画面に対応する画像である分割画像Ａの開始ラインとに応じた仮想画像Ｉを生成し、分割画像Ｂと分割画像Ａとの間に挿入する（図２ステップＳ３）。
【００３０】
次に、図４（ｃ）に示すように一の印画面に対応する画像である分割画像Ｂのイエロー成分（Ｙ１）を転写する（図２ステップＳ４）。
【００３１】
分割画像Ｂのイエロー成分（Ｙ１）の転写をして図４（ｄ）に示す位置（分割画像Ａと分割画像Ｂとの境界位置）に到達した時、Ｙ１→Ｙ２の順序で転写するためＭ１→Ｃ１→ＯＰ１の順に転写をスキップする。その間の時間Δｔにおいて、前述の仮想画像ＩのＩｙ成分に基づいてサーマルヘッド８を通電させる（図２ステップＳ５）。
【００３２】
従来の技術であれば、１つの画像（分割画像Ｂ）をその色成分Ｙ１、Ｍ１、Ｃ１、そのオーバーコートＯＰ１のインクシートで転写した後、もう１つの画像（分割画像Ａ）をその色成分Ｙ２、Ｍ２、Ｃ２、そのオーバーコートＯＰ２のインクシートで転写する順序で印刷が行われる。本発明では、上記のように一の印画面に対応する画像である分割画像Ｂのイエロー成分（Ｙ１）を転写した後、次の印画面に対応する画像である分割画像Ａのイエロー成分（Ｙ２）を転写し、分割画像Ｂのマゼンタ成分（Ｍ１）を転写した後、分割画像Ａのマゼンタ成分（Ｍ２）を転写し、次に、分割画像Ｂのシアン成分（Ｃ１）を転写した後、分割画像Ａのシアン成分（Ｃ２）を転写し、最後に、分割画像ＢのＯＰ成分（ＯＰ１）を転写した後、分割画像ＡのＯＰ成分（ＯＰ２）を転写する順序で印刷を行う。すなわち、色成分イエロー（Ｙ）、マゼンタ（Ｍ）、シアン（Ｃ）に対し、複数印画面に跨る画像の前記複数印画面ごとに同一の色成分による転写を連続して行う。後述するように、境界部での熱履歴を再現しやすくするためである。
【００３３】
また、転写するラインが分割画像Ｂから分割画像Ａへと遷移する（画面を跨る）間、例えばイエローを転写する場合はＹ１（分割画像Ｂのイエロー成分を転写するインクシート）からＹ２（分割画像Ａのイエロー成分を転写するインクシート）へインクシートを切り替える時間（この時間をΔｔ）、サーマルヘッドは待機状態となる。従来はこのような遷移時間Δｔの間は、サーマルヘッドの通電がいったんオフされていた。その後、次に印画される分割画像Ａの開始ラインで分割画像Ａのイエロー成分（Ｙ２）に応じた各発熱素子の通電を行うが、前述のように１枚目に印画される分割画像Ｂの色成分に応じて発生していた熱履歴が通電を一旦オフにすることによってリセットされてしまうため、分割画像Ｂの終了ラインにおける各発熱素子のイエロー成分（Ｙ１）の熱履歴を、分割画像Ａの開始ラインにおける分割画像Ａのイエロー成分（Ｙ２）として精度良く再現することは困難であった。
【００３４】
このような問題を解決するため、サーマルヘッド８が一の印画面から次の印画面へと遷移する間、すなわち一の印画面に対応する画像である分割画像Ｂから次の印画面に対応する画像である分割画像Ａへとインクシートを切り替える間（Δｔ）、実際には印画しない画像である分割画像Ｂの終了ラインと分割画像Ａの開始ラインとに関連づけられた仮想画像Ｉを仮想画像生成部３において生成し、仮想画像Ｉに基づいてサーマルヘッド８の通電（熱）を制御する。この方式により、分割画像Ｂと分割画像Ａとの境界部での熱履歴の不連続性を低減し、分割画像Ｂと分割画像Ａ間の濃度・色のばらつきを低減する効果を奏する。
【００３５】
仮想画像Ｉは、例えば図４（ｂ）に示すように、分割画像Ｂの終了ラインを構成する画素（階調データ）に対応する熱を発生するよう、Δｔの時間に渡り通電するような画像であっても良い。この場合、分割画像Ａの開始ラインには間接的に対応することになる。あるいは分割画像Ａと分割画像Ｂとの境界の階調データ、すなわち分割画像Ｂの終了ラインの階調データと分割画像Ａの開始ラインの階調データとに基づいて、平均計算（平均値）その他の計算により算出されても良い。あるいは図１に示した各種センサー９で取得したサーマルヘッドの温度、プラテンローラー温度、セット内温度、セット内湿度のいずれか、もしくは全てを考慮に入れた補正を加えて生成しても良い。
【００３６】
続いて図５（ｅ）に示すように、時間Δｔを経過した後分割画像Ａのイエロー成分（Ｙ２）を転写する（図２ステップＳ６）。前述のように、仮想画像Ｉｙに基づくサーマルヘッドへの通電効果により、分割画像Ｂの終了ラインにおける熱履歴を分割画像Ａの開始ラインにおいて再現しやすく、分割画像Ａと分割画像Ｂとの濃度・色のばらつき等が緩和される。
【００３７】
分割画像Ａのイエロー成分（Ｙ２）を転写した後、インクシートをＯＰ１→Ｃ１→Ｍ１の順に巻き戻し、同時にロール型ペーパー１１を分割画像Ｂの頭だし位置まで巻き戻し、図５（ｆ）に示すように分割画像Ｂのマゼンタ成分（Ｍ１）を転写する（図２ステップＳ７）。
【００３８】
分割画像Ｂのマゼンタ成分（Ｍ１）を転写した後、インクシートをＣ１→ＯＰ１→Ｙ２の順にスキップする間、仮想画像Ｉｍに基づいてサーマルヘッドを通電させる（図３ステップＳ８）。
【００３９】
次に、図５（ｇ）に示すように分割画像Ａのマゼンタ成分（Ｍ２）を転写する（図３ステップＳ９）。分割画像Ａのマゼンタ成分（Ｍ２）を転写した後、インクシートをＹ２→ＯＰ１→Ｃ１の順に巻き戻し、同時にロール型ペーパー１１を分割画像Ｂの頭だし位置まで巻き戻し、図５（ｈ）に示すように分割画像Ｂのシアン成分（Ｃ１）を転写する（図３ステップＳ１０）。
【００４０】
分割画像Ｂのシアン成分（Ｃ１）を転写した後、インクシートをＯＰ１→Ｙ２→Ｍ２の順にスキップする間、仮想画像Ｉｃに基づいてサーマルヘッドを通電させる（図３ステップＳ１１）。
【００４１】
次に、図６（ｉ）に示すように分割画像Ａのシアン成分（Ｃ２）を転写する（図３ステップＳ１２）。分割画像Ａのシアン成分（Ｃ２）を転写した後、インクシートをＭ２→Ｙ２→ＯＰ１の順に巻き戻し、同時にロール型ペーパー１１を分割画像Ｂの頭だし位置まで巻き戻し、分割画像ＢのＯＰ成分（ＯＰ１）を転写する（図３ステップＳ１３）。
【００４２】
分割画像ＢのＯＰ成分（ＯＰ１）を転写した後、インクシートをＹ２→Ｍ２→Ｃ２の順にスキップし、分割画像ＡのＯＰ成分（ＯＰ２）を転写する（図３ステップＳ１４）。
【００４３】
なお、仮想画像Ｉｙ、Ｉｍ、Ｉｃにより発生する熱は、サーマルヘッドの温度プロファイルをインクシートＹ１〜Ｙ２間、Ｍ１〜Ｍ２間、Ｃ１〜Ｃ２間それぞれの前後で安定に保つためのものであり、実際にインクをロール型ペーパー１１に転写するためのものではない。
【００４４】
＜Ａ−３．効果＞
この発明にかかる実施の形態１によれば、連続紙であるロール型ペーパー１１に複数印画面に跨る画像を印刷可能なプリンター装置において、インクシート１０とロール型ペーパー１１とを所定の印画位置に対向させて搬送する搬送機構１１０と、印画位置において、インクシート１０を用いてロール型ペーパー１１に画像をライン単位で転写するサーマルヘッド８と、サーマルヘッド８を制御する制御部１００とを備え、制御部１００は、サーマルヘッド８が複数印画面における一の印画面から次の印画面へと遷移する間、当該サーマルヘッド８の通電を、一の印画面に対応する画像の終了ラインと次の印画面に対応する画像の開始ラインとに関連づけられた、実際には印画しない仮想画像に基づいて制御することで、例えばフォトブックを作製する際の見開き頁等、複数の印画面の境界付近での濃度・色のばらつきを低減することが可能となる。
【００４５】
また、この発明にかかる実施の形態１によれば、プリンター装置において、制御部１００は、複数印画面ごとに同一の色成分による転写を連続して行うようにインクシート１０の搬送とサーマルヘッド８の通電とを制御することで、同一の色成分によるサーマルヘッド８の熱履歴を維持し不連続性を緩和できるので、印画面間の境界部での濃度・色のばらつきを低減することができる。
【００４６】
また、この発明にかかる実施の形態１によれば、プリンター装置において、色成分は、イエロー、マゼンタ、シアンを含むことで、同一の色成分によるサーマルヘッド８の熱履歴を維持し不連続性を緩和できるので、印画面間の境界部での濃度・色のばらつきを低減することができる。
【００４７】
また、この発明にかかる実施の形態１によれば、プリンター装置において、制御部１００は、複数印画面に跨る画像を分割し、複数の分割画像として出力する分割部２と、一の印画面に対応する分割画像Ｂの終了ラインと、次の印画面に対応する分割画像Ａの開始ラインとに基づいて、仮想画像Ｉを生成する仮想画像生成部３と、仮想画像生成部３における仮想画像Ｉに応じて、サーマルヘッド８の通電を制御するサーマルヘッド制御部である各種画像処理回路６およびサーマルヘッドコントローラー７とを備えることで、分割画像Ｂの終了ラインと、分割画像Ａの開始ラインとに基づく仮想画像Ｉによりサーマルヘッド８の熱履歴を維持したまま印画面を遷移し不連続性を緩和できるので、印画面間の境界部での濃度・色のばらつきを低減することができる。
【００４８】
また、この発明にかかる実施の形態１によれば、プリンター装置において、仮想画像生成部３は、一の印画面に対応する分割画像Ｂの終了ラインの階調データに応じて、仮想画像Ｉを生成することで、分割画像Ｂの終了ラインの階調データが継続された仮想画像Ｉが挿入され、印画面遷移の際の不連続性を緩和できるので、印画面間の境界部での濃度・色のばらつきを低減することができる。
【００４９】
また、この発明にかかる実施の形態１によれば、プリンター装置において、仮想画像生成部３は、一の印画面に対応する分割画像Ｂの終了ラインの階調データと、次の印画面に対応する分割画像Ａの開始ラインの階調データとの平均値に応じて、仮想画像を生成することで、印画面遷移の際の不連続性を緩和できるので、印画面間の境界部での濃度・色のばらつきを低減することができる。
【００５０】
また、この発明にかかる実施の形態１によれば、プリンター装置において、プリンター装置の温度または湿度を検知するセンサーである各種センサー９をさらに備え、仮想画像生成部３は、各種センサー９の検知結果にも応じて、仮想画像を生成することで、さらに連続性の高い仮想画像Ｉが挿入可能となり、印画面遷移の際の不連続性を緩和できるので、印画面間の境界部での濃度・色のばらつきを低減することができる。
【符号の説明】
【００５１】
１  ホストＰＣ、２  分割部、２ａ  フレームメモリ（分割画像Ａ）、２ｂ  フレームメモリ（分割画像Ｂ）、２ｃ  フレームメモリ（仮想画像Ｉ）、３  仮想画像生成部、３ａ  仮想画像Ｉ生成回路、４  メモリコントローラー、５  ＣＰＵ、６  各種画像処理回路、７  サーマルヘッドコントローラー、８  サーマルヘッド、９  各種センサー、１０  インクシート、１１  ロール型ペーパー、１３  プラテンローラー、１４  インクボビン、１００  制御部、１１０  搬送機構。
【図１】
2011005727.tif 000003
【図２】
2011005727.tif 000004
【図３】
2011005727.tif 000005
【図７】
2011005727.tif 000006
【図８】
2011005727.tif 000007
【図４】
2011005727.tif 000008
【図５】
2011005727.tif 000009
【図６】
2011005727.tif 000010
【図９】
2011005727.tif 000011